(57)【要約】【課題】コンピュータシステムへのログイン、ドアのロック解除等で個人の認証が必要なときに、高価な入力装置を必要とせず、簡単な操作で個人認証を行う。【解決手段】タイミング信号登録部１１と、タイミング信号検出部１３と、個人認証制御部１４で構成され、個人認証制御部１４が、タイミング信号検出部１３によって検出されたスイッチ開閉のタイミング信号と、タイミング信号登録部１１によって登録された所定期間におけるスイッチ開閉のタイミング信号とを照合してセキュリティ解除の許可を行う。また、認証精度制御部１５により認証のレベルに応じて認証の品質を可変とし、学習機能制御部１６により入力タイミングの曖昧さや経時的な変化に対応する。【選択図】      図１
2004280562.tif 000002
【特許請求の範囲】
【請求項１】
個人を特定することによりセキュリティの解除を行う個人認証装置であって、
所定期間におけるスイッチ開閉のタイミング信号を、個人を特定する情報として登録するタイミング信号登録手段と、
個人認証が必要となったときにスイッチ入力を促がし、入力されるスイッチの開閉タイミングを検出するタイミング信号検出手段と、
前記検出されたタイミング信号と前記登録されたタイミング信号とを照合してセキュリティ解除の許可を行う個人認証手段と、
を備えたことを特徴とする個人認証装置。
【請求項２】
前記個人認証手段で照合を行う際に、あらかじめ設定される認証レベルに応じて認証の精度を可変とする認証精度制御手段、
を備えたことを特徴とする請求項１に記載の個人認証装置。
【請求項３】
前記登録されたタイミング信号の他に、過去に認証された個人のタイミング信号を複数蓄積し、類似するタイミング信号が入力され検出されたときにも前記照合によるセキュリティの解除を許可する学習機能制御手段、
を備えたことを特徴とする請求項１または２に記載の個人認証装置。
【請求項４】
前記個人を特定する情報として登録されるタイミング信号に関連付けてそれぞれのセキュリティ解除後における処理手順が記述され、前記照合が行われセキュリティ解除の許可が得られたときに、前記記述された処理手順を実行するプログラム実行制御手段、
を備えたことを特徴とする請求項１に記載の個人認証装置。
【請求項５】
個人を特定することによりセキュリティの解除を行う個人認証方法であって、
所定期間におけるスイッチ開閉のタイミング信号を、個人を特定する情報として登録し、個人認証が必要となったときにスイッチ入力を促がし、入力されるスイッチの開閉タイミングを検出し、前記検出されたタイミング信号と前記登録されたタイミング信号とを照合してセキュリティ解除の許可を行うこと、
を特徴とする個人認証方法。
【請求項６】
個人を特定することによりセキュリティの解除を行う個人認証装置に用いられるプログラムであって、
所定期間におけるスイッチ開閉のタイミング信号を、個人を特定する情報として登録するステップと、
個人認証が必要となったときにスイッチ入力を促がし、入力されるスイッチの開閉タイミングを検出するステップと、
前記検出されたタイミング信号と前記登録されたタイミング信号とを照合してセキュリティ解除の許可を行うステップと、
をコンピュータに実行させる個人認証プログラム。
【請求項７】
個人を特定することによりセキュリティの解除を行う個人認証装置に用いられるプログラムを記録したコンピュータ読取り可能な記録媒体であって、
所定期間におけるスイッチ開閉のタイミング信号を、個人を特定する情報として登録するステップと、
個人認証が必要となったときにスイッチ入力を促がし、入力されるスイッチの開閉タイミングを検出するステップと、
前記検出されたタイミング信号と前記登録されたタイミング信号とを照合してセキュリティの解除の許可を行うステップと、
をコンピュータに実行させる個人認証プログラムを記録した記録媒体。
【発明の詳細な説明】
【０００１】
【発明の属する技術分野】
本発明は、個人を特定することにより、ログイン、ドアロック解除等のセキュリティ解除を行う、個人認証装置およびその方法、ならびに個人認証プログラムおよびその記録媒体に関する。
【０００２】
【従来の技術】
通常、コンピュータシステムのユーザ認証は、ユーザＩＤ、パスワード入力をタイピング入力することにより行われる。
また、ユーザＩＤとパスワードに代わる認証として、顔や指紋、虹彩など個人の身体的特徴を用いて個人を確認する「バイオメトリクス認証」があり、また、筆跡を三次元データとして認識する技術も提案されている（特許文献１参照）。
【０００３】
【特許文献１】
特開平７−６４９１１号公報
【０００４】
【発明が解決しようとする課題】
しかしながら上記したユーザＩＤ、パスワードを入力する方法によれば、パスワード忘れによるログイン不能や、簡易なパスワードを設定したために第三者に解読され、システムへ不正侵入されることがあった。また、入力が面倒であり、特に、お年寄りや身体障害者の方にはなじまないといった欠点があった。
一方、上記したバイオメトリクス認証、筆跡認識においては、操作性は改善されるものの、入力装置が高価であり、情報を比較判定するソフトウェアも複雑になるといった欠点を有していた。
【０００５】
本発明は上記事情に鑑みてなされたものであり、コンピュータシステムへのログイン、ドアのロック解除等で個人の認証が必要なときに、高価な入力装置を必要とせず、簡単な操作で個人認証を行うことのできる、特に、お年寄りや身体障害者の方が用いて好適な、個人認証装置およびその方法、ならびに個人認証プログラムおよびその記録媒体を提供することを目的とする。
【０００６】
【課題を解決するための手段】
上記した課題を解決するために本発明は、個人を特定することによりセキュリティの解除を行う個人認証装置であって、所定期間におけるスイッチ開閉のタイミング信号を、個人を特定する情報として登録するタイミング信号登録手段と、個人認証が必要となったときにスイッチ入力を促がし、入力されるスイッチの開閉タイミングを検出するタイミング信号検出手段と、前記検出されたタイミング信号と前記登録されたタイミング信号とを照合してセキュリティの解除の許可を行う個人認証手段と、を備えたことを特徴とする。
【０００７】
本発明によれば、個人認証手段が、タイミング信号検出手段によって検出されたスイッチ開閉のタイミング信号と、タイミング信号登録手段によって登録された所定期間におけるスイッチ開閉のタイミング信号とを照合してセキュリティの解除の許可を行うため、タイミング信号登録時に、操作する人の習性や故意に特徴あるタイミングを設定することにより、高価な入力装置を必要とせず、簡単な操作で個人認証を行うことのできる個人認証装置を提供することができる。
なお、登録されるタイミング信号は、個人の作為的な開閉タイミングのみならず、特定の音楽のリズムに合わせてボタンを押すタイミングや、タッチパッド等に図形を描くときの筆跡が「動／静止」するタイミングも含まれる。
【０００８】
また、本発明において、前記個人認証手段で照合を行う際に、あらかじめ設定される認証レベルに応じて認証の精度を可変とする認証精度制御手段、を備えたことを特徴とする。
本発明によれば、認証精度制御手段が、あらかじめ設定される認証レベルに応じて認証の精度を可変とすることにより、例えば、認証レベルを、スイッチ閉の回数のみでタイミングを判定する精度の低いレベルから、スイッチ開閉のそれぞれの時間とその回数でタイミングを判定する精度の高いレベルまで複数種の認証精度の選択が可能であり、個人の要望に応じて認証の品質を可変とする個人認証装置を提供できる。
【０００９】
また、本発明において、前記登録されたタイミング信号の他に、過去に認証された個人のタイミング信号を複数蓄積し、類似するタイミング信号が入力されたときにも前記照合によるセキュリティの解除を許可する学習機能制御手段、を備えたことを特徴とする。
本発明によれば、学習機能制御手段が、登録時、または過去に認証したタイミング信号を複数蓄積し、類似パターンによる認証を可能とすることにより、入力タイミングの曖昧さや経時的変化にも対応可能な個人認証装置を提供することができる。
なお、ここでいう「学習機能」とは、上記した類似パターンによる認証も得ることができる他に、入力タイミングの時間的許容範囲を制御することも含む。
【００１０】
また、本発明において、前記個人を特定する情報として登録されるタイミング信号に関連付けてそれぞれのセキュリティ解除後における処理手順が記述され、前記照合が行われセキュリティ解除の許可が得られたときに、前記記述された処理手順を実行するプログラム実行制御手段、を備えたことを特徴とする。
本発明によれば、プログラム実行制御手段が、個人認証手段によって照合が行われセキュリティ解除の許可が得られたときに、あらかじめ個人を特定する情報として登録されるタイミング信号に関連付けて記述されたセキュリティ解除後における処理手順を実行することにより、例えば、「介護する人を呼ぶ」、「他の場所へ誘導する」ための呼び出し音の生成等に関する処理を自動で実現でき、特に、お年寄りや身体障害者の方に優しい個人認証装置を提供することができる。
【００１１】
上記した課題を解決するために本発明は、個人を特定することによりセキュリティの解除を行う個人認証方法であって、所定期間におけるスイッチ開閉のタイミング信号を、個人を特定する情報として登録し、個人認証が必要となったときにスイッチ入力を促がし、入力されるスイッチの開閉タイミングを検出し、前記検出されたタイミング信号と前記登録されたタイミング信号とを照合してセキュリティの解除の許可を行うこと、を特徴とする。
【００１２】
上記した課題を解決するために本発明は、個人を特定することによりセキュリティの解除を行う個人認証装置に用いられるプログラムであって、所定期間におけるスイッチ開閉のタイミング信号を、個人を特定する情報として登録するステップと、個人認証が必要となったときにスイッチ入力を促がし、入力されるスイッチの開閉タイミングを検出するステップと、前記検出されたタイミング信号と前記登録されたタイミング信号とを照合してセキュリティの解除の許可を行うステップと、をコンピュータに実行させることを特徴とする。
【００１３】
上記した課題を解決するために本発明は、個人を特定することによりセキュリティの解除を行う個人認証装置に用いられるプログラムを記録したコンピュータ読取り可能な記録媒体であって、所定期間におけるスイッチ開閉のタイミング信号を、個人を特定する情報として登録するステップと、個人認証が必要となったときにスイッチ入力を促がし、入力されるスイッチの開閉タイミングを検出するステップと、前記検出されたタイミング信号と前記登録されたタイミング信号とを照合してセキュリティの解除の許可を行うステップと、をコンピュータに実行させる個人認証プログラムを記録したことを特徴とする。
【００１４】
【発明の実施の形態】
図１は、本発明の個人認証装置の内部構成を機能展開して示したブロック図である。
本発明の個人認証装置は、ＰＣ等のコンピュータに実装され、タイミング信号登録手段としてのタイミング信号登録部１１と、タイミング信号蓄積部１２と、タイミング信号検出手段としてのタイミング信号検出部１３と、個人認証手段としての個人認証制御部１４と、認証精度制御手段としての認証精度制御部１５と、学習機能制御手段としての学習機能制御部１６と、プログラム実行制御手段としてのプログラム実行制御部１７で構成される。
【００１５】
図１において、１０は、キーボードおよびマウス（ＫＢ／マウス）であり、ここでは、マウススイッチによるクリックを個人認証で用いるタイミング信号抽出のためのスイッチ手段として説明する。
タイミング信号登録部１１は、所定期間におけるスイッチ開閉のタイミング信号を、個人を特定する情報として登録する機能を持ち、登録されたタイミング信号は、タイミング信号蓄積部１２に保存される。
また、タイミング信号検出部１３は、個人認証が必要となったときにスイッチ入力を促がし、入力されるスイッチの開閉タイミングを検出する機能を持つ。更に、個人認証制御部１４は、検出されたタイミング信号と登録されたタイミング信号とを照合してセキュリティの解除の許可を行う機能を持つ。
【００１６】
認証精度制御部１５は、個人認証制御部１４で照合を行う際に、あらかじめ設定される認証レベルに応じて認証の精度を可変とする機能を持ち、学習機能制御部１６は、登録されたタイミング信号の他に、過去に認証された個人のタイミング信号を複数蓄積し、類似するタイミング信号が入力されたときにも照合によるセキュリティの解除を許可する機能を持つ。
また、プログラム実行制御部１７は、個人を特定する情報として登録されるタイミング信号に関連付けてそれぞれのセキュリティ解除後における処理手順が記述され、照合が行われセキュリティ解除の許可が得られたときに、記述された処理手順を実行する機能を持つ。
【００１７】
図２は、図１に示す個人認証装置の動作を説明するために引用したフローチャートであり、具体的には、本発明の個人認証ブログラムの処理手順を示す。
以下、図２に示すフローチャートを参照しながら本発明の個人認証装置の動作について詳細に説明する。
【００１８】
まず、ユーザがＫＢ／マウス１０を操作することにより、登録用スイッチ開閉タイミング信号が入力される。ここでは、操作するユーザ個人の習性や故意に特徴あるスイッチ開閉のタイミングに従い入力することとする。このことにより、タイミング信号登録部１１は、上記したタイミング信号の抽出を行い、個人を特定するための情報（α）としてタイミング信号蓄積部１２へ保存する（Ｓ２１）。
次に、ユーザは、認証レベルを設定する（Ｓ２２）。ここでは、認証レベルとして、認証精度が高中低の性能別に３段階のレベルが用意され、スイッチ開閉のそれぞれの時間とその回数でタイミングを判定するレベル１（高精度）、スイッチ閉の時間とその回数でタイミングを判定するレベル２（中精度）、スイッチ閉の回数のみでタイミングを判定するレベル３（低精度）とする。後述する認証精度制御部１５がここで設定された認証レベルに従い、個人認証制御部１４による個人認証を制御する。以上が個人認証制御部１４による認証前の前処理部分である。
【００１９】
次に、コンピュータシステムのログイン時等、認証が必要になったとき（Ｓ２３）、タイミング信号検出部１３は、ユーザにスイッチ（マウス）の開閉入力を促がし（Ｓ２４）、ユーザによるキーボード／マウス１０の操作を待って（Ｓ２５）、スイッチ開閉のタイミング（β）を抽出する（Ｓ２６）。
なお、ここでも抽出されたタイミング信号をタイミング信号蓄積部１２へ保存し、後述する学習のための制御に備える（Ｓ２７）。
続いて、個人認証制御部１４は、登録されたスイッチ開閉のタイミング信号と、先に入力され検出されたスイッチ開閉のタイミング信号とを照合する（Ｓ２８）。ここでは、先に設定された認証レベルに従う照合を実行する。また、学習機能制御部１６によるコントロールの下で、入力タイミングの曖昧さや経時的な変化に対応するために、類似パターンによる認証についても認証が得られることとする。
【００２０】
すなわち、スイッチ開閉のタイミング信号が検出される都度、抽出されるタイミング信号をタイミング信号蓄積部１２へ保存してあるため、例えば、所定の期間内に一定の変化が見られたときに認証用として登録されてあるスイッチ開閉タイミング信号を変更する等の操作が行われ、このことにより、入力タイミングの曖昧さや経時的な変化に対応するものである。
また、入力タイミングの認証の幅に時間的許容範囲を設定することができ、例えば、８０％〜１２０％、あるいは９０％〜１３０％等、必要に応じて時間的なズレを許容するための配慮もなされている。
【００２１】
個人認証制御部１４で認証が得られた後、ログインを許可、あるいはドアロック解除等、セキュリティの解除を指示する（Ｓ２９）。
また、このとき、個人を特定する情報として登録されるタイミング信号に関連付けてセキュリティ解除後における処理手順が記述されていた場合、プログラム実行制御部１７は、記述されてある、例えば、「介護する人を呼ぶ」、「他の場所へ誘導する」ための呼び出し音の生成等を自動制御でき、特に、お年寄りや身体障害者の方に優しい個人認証装置を提供することができる（Ｓ３０）。
【００２２】
以上説明のように本発明は、スイッチの開閉タイミングで個人を認証し、このとき、認証の精度を可変とし、かつ、学習機能を付加して入力タイミングの曖昧さや経時的変化に対応させることにより、セキュリティの解除を高価な入力装置を必要とせず、簡単な操作で個人認証を行うことができるものである。
なお、上記した本発明実施形態においては、タイミング信号登録、検出の対象となる入力デバイスとして、マウス等機械的スイッチのみ例示したが、特に制限はなく、上記した機械的スイッチは勿論のこと、開閉タイミングを生成することのできる、電気、電磁、光学的なスイッチの全てを含むこととする。また、登録されるタイミング信号は、個人の作為的な開閉タイミングのみならず、特定の音楽のリズムに合わせてボタンを押すタイミングや、タッチパッド等に図形を描くときの筆跡が「動／静止」するタイミングも含まれることとする。
【００２３】
更に、上記したタイミング信号登録部１１、タイミング信号検出部１３、個人認証制御部１４、認証精度制御部１５、学習機能制御部１６、プログラム実行制御部１７のそれぞれで実行される手順をコンピュータ読取り可能な記録媒体に記録し、この記録媒体に記録されたプログラムをコンピュータシステムに読み込ませ、実行することにより本発明の個人認証装置が実現されるものとする。
ここでいうコンピュータシステムとは、ＯＳや周辺機器等のハードウェアを含むものである。
【００２４】
また、「コンピュータシステム」は、ＷＷＷシステムを利用している場合であれば、ホームページ提供環境（あるいは表示環境）も含むものとする。
また、「コンピュータ読取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００２５】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００２６】
以上、この発明の実施形態につき、図面を参照して詳述してきたが、具体的な構成はこの実施形態に限られるものではなく、この発明の要旨を逸脱しない範囲の設計等も含まれる。
【００２７】
【発明の効果】
以上説明のように本発明によれば、コンピュータシステムへのログイン、ドアのロック解除等で個人の認証が必要なときに、高価な入力装置を必要とせず、簡単な操作で個人認証を行うことができる。
また、認証の精度を選択させ、かつ入力タイミングの曖昧さや経時的な変化に対応する仕組みを提供することにより、認証の品質を可変とし、かつ、類似パターンの認証も可能とすることから、柔軟性、拡張性の高いシステム構築が可能となる。更に、セキュリティ解除後の処理をあらかじめ定義しておくことにより、特に、お年寄りや身体障害者の方に優しい環境を提供できる。
【図面の簡単な説明】
【図１】本発明の個人認証装置の内部構成を機能展開して示したブロック図である。
【図２】本発明実施形態の動作を説明するために引用したフローチャートである。
【符号の説明】
１１…タイミング信号登録部、１２…タイミング信号蓄積部、１３…タイミング信号検出部、１４…個人認証制御部、１５…認証精度制御部、１６…学習機能制御部、１７…プログラム実行制御部
【図１】
2004280562.tif 000003
【図２】
2004280562.tif 000004